(57)【要約】【課題】この発明の目的は、胸ポケット等に収納した時に落下するのを防止する眼鏡用クリップを提供することにある。【解決手段】背広やワイシャツの胸ポケットに収納した眼鏡が落下するのを防止する眼鏡のクリップ１０、１３であって、テンプル６の中央部に磁石体１３あるいは吸着体１０の一方１０を配設するとともに、いずれか他方１３をチェーン等の条体１２の一端に連結し、条体１２の他端をテンプル６の端部の取付け部１１に取り付け、胸ポケットに収納した時に磁石体１３と吸着体１０との間で布を挟持するようにした。【選択図】        図７
2005024696.tif 000002
【特許請求の範囲】
【請求項１】
背広やワイシャツの胸ポケットに収納した眼鏡が落下するのを防止する眼鏡用クリップであって、該クリップは、左右のうちの一方のテンプルに配設した磁石体あるいは吸着体のいずれか一方と、前記胸ポケットの外側から前記一方に吸着可能な磁石体あるいは吸着体のいずれか他方とから形成され、前記磁石体と吸着体との間で胸ポケットの布を挟持することで眼鏡を胸ポケット内に固定することを特徴とする眼鏡用クリップ。
【請求項２】
前記磁石体あるいは吸着体のいずれか一方は前記テンプルの中央部に嵌め込み取り付けされ、磁石体あるいは吸着体のいずれか他方は前記テンプルの端部に条体を介して取り付けられている請求項１記載の眼鏡用クリップ。
【請求項３】
前記条体はチェーンである請求項２に記載の眼鏡用クリップ。
【請求項４】
前記吸着体および磁石体は星形をしている請求項１〜３のいずれか１項に記載の眼鏡用クリップ。
【請求項５】
背広やワイシャツの胸ポケットに収納した眼鏡が落下するのを防止する眼鏡用クリップであって、該クリップは、左右のうちの一方のテンプルの中央部に嵌め込み取り付けした吸着体と、前記テンプルの端部にチェーンを介して取り付けられた磁石体とを具え、前記磁石体と吸着体との吸着時にそれらの間で胸ポケットの布を挟持することで眼鏡を胸ポケット内に固定することを特徴とする眼鏡用クリップ。
【発明の詳細な説明】
【０００１】
【発明の属する技術分野】
この発明は眼鏡用クリップに関し、特に、背広やワイシャツの胸ポケット等の内部に収納した際に前傾してもずり落ちる恐れがない眼鏡用クリップに関するものである。
【０００２】
【従来技術およびその問題点】
従来、背広やワイシャツの胸ポケット等に収納した眼鏡が落下するのを防止するものとしては実開平７−３２６３２号に示すようなものが知られている。
【０００３】
【特許文献１】
実開平７−３２６３２号公報
【０００４】
この特許文献１に示すものは、眼鏡のつるに取り付けるクリップであって、このクリップは少なくとも一つの固定用フックを有し、この固定用フックで眼鏡のつるに固定されたクリップを、たとえば、ワイシャツのポケットの上部に挟持することでポケット内に眼鏡を固定収納するようになっている。
【０００５】
上記のように構成されている従来の眼鏡用クリップにあっては、眼鏡のつるに別体のクリップを固定用フックで固定して用いるようになっているために、全体が大型となり、また、クリップ自体があまり体裁が良いものではなく、眼鏡の使用時には眼鏡のつるに固定したまま眼鏡をかけることとなって、眼鏡全体のデザイン的バランスが崩れて体裁が悪いものとなってしまうという問題点を有していた。
【０００６】
この発明の目的は、クリップ自体を小型にして眼鏡に取り付けた場合であっても眼鏡のデザイン的バランスを崩す恐れがなく、しかも、クリップ自体が装飾的機能を果たすようにした眼鏡用クリップを提供することにある。
【０００７】
【問題点を解決するための手段】
上記の問題点を解決するためにこの発明は、背広やワイシャツの胸ポケットに収納した眼鏡が落下するのを防止する眼鏡用クリップであって、このクリップは、左右のうちの一方のテンプルに配設した磁石体あるいは吸着体のいずれか一方と、前記胸ポケットの外側から前記一方に吸着可能な磁石体あるいは吸着体のいずれか他方とから形成され、前記磁石体と吸着体との間で胸ポケットの布を挟持することで眼鏡を胸ポケット内に固定する構成を有している。
そして、前記磁石体あるいは吸着体のいずれか一方は前記テンプルの中央部に嵌め込み取り付けされ、磁石体あるいは吸着体のいずれか他方は前記テンプルの端部に条体を介して取り付けられ、前記条体はチェーンであり、前記吸着体および磁石体は星形をした構成を有している。
また、この発明は、背広やワイシャツの胸ポケットに収納した眼鏡が落下するのを防止する眼鏡用クリップであって、このクリップは、左右のうちの一方のテンプルの中央部に嵌め込み取り付けした吸着体と、前記テンプルの端部にチェーンを介して取り付けられた磁石体とを具え、前記磁石体と吸着体との吸着時にそれらの間で胸ポケットの布を挟持することで眼鏡を胸ポケット内に固定する構成を有している。
【０００８】
【作用】
この発明は前記の構成を有しているので、両リムの外側の鎧に取り付けられた蝶番によって両テンプルを折り畳んでワイシャツ等の胸ポケットに収納した時に、チェーン等の条体を介して取り付けられた磁石をテンプルに取り付けられた吸着体に取り付け、しかも磁石と吸着体との間には胸ポケットを構成する生地が位置しているので、前屈みになっても胸ポケットから眼鏡がずり落ちる恐れがなく、しかも、胸ポケットには磁石がアクセサリーのように設けられていることになる。
【０００９】
【発明の実施の形態】
以下、この発明の実施の形態について説明する。図１にはこの発明による眼鏡用クリップが取り付けられている眼鏡の概略平面図が、そして図２には概略正面図がそれぞれ示されている。
【００１０】
図１および図２において、眼鏡１は一対のリム２、２がブリッジ３によって連結され、各リム２、２の外側にはそれぞれ鎧４、４および蝶番５、５を介してテンプル６、６が取り付けられている。
なお、７、７は各リム２、２の内側に取り付けられて掛ける人の鼻の側部に当接するノーズパッド、８、８はテンプル６、６の端部を被覆しているモダン、９、９は両リム２、２で取り付けられているレンズである。
さらに、前記テンプル６、６のうちの鎧４、４寄りの部位にはクリップを構成する吸着体１０、１０がそれぞれ設けられているとともに、一方の鎧４側の端部には取付け部１１が設けられている。
【００１１】
図３には概略右側面図が示されていて、同図から明らかなように前記吸着体１０は星形をなし、このような星形の吸着体１０がテンプル６に嵌め込んだように配設されている。
そして、一方のテンプル６の鎧４側の端部、すなわち、この実施の形態においては図示しない左側のテンプル６の鎧４側の端部に設けられた取付け部１１にチェーン等の条体１２が取り付けられ、この条体１２の端部には前記吸着体１０と同様に星形をなしてクリップを構成する磁石体１３が設けられている。
そして、前記条体１２の長さは星形の磁石体１３が同様な形状の吸着体１０に吸着した時にも余裕がある長さになっている（この状態は下記の説明で明らかになる。）。
【００１２】
その状態は図４〜図７に示されていて、磁石体１３が吸着体１０に吸着していない時は図４および図６に示すような振り子状になっているとともに、吸着体１０に吸着した時には図５および図７に示すように条体１２は余裕を持った長さになっている。
【００１３】
なお、図４および図５はテンプル６の鎧４側を示す概略側面図であり、図６および図７はリム２の前方からテンプル６の鎧４側を見た概略斜視図である。
【００１４】
上記のように構成された眼鏡用クリップにあっては、眼鏡の使用時には吸着体１０に磁石体１３を吸着させておけば、磁石体１３やチェーン等の条体１２によって装飾的な効果を発揮できて意匠的に良好な眼鏡フレームとすることができる。しかも、磁石体１３を吸着体１０に吸着させた時に条体１２があまり余らないような長さとすることで邪魔になることは無い。
【００１５】
一方、眼鏡を使用しない時は、そのまま両リム２、２に対して両テンプル６、６を蝶番５、５を介して折り畳んでおけば、その状態でワイシャツや背広の胸ポケット１４に収納することができる。しかしながら、単に両テンプル６、６を折り畳んだ状態でワイシャツや背広の胸ポケット１４に収納した場合には前屈みになった時に落下し易いことになる。
【００１６】
このような落下を防止するためにこの発明のクリップが作用するものであり、まず、磁石体１３が設けられたテンプル６を上側にして折り畳むとともに、磁石体１３を吸着体１０から離脱し、磁石体１３が設けられたテンプル６を外向きにしてワイシャツや背広の胸ポケット１４に収納する。この収納時に磁石体１３はチェーン１２に連結した状態で胸ポケット１４の外側になるようにする。こののち、磁石体１３を吸着体１０に吸着させれば、ワイシャツや背広の布を挟持した状態となるので前屈みになったとしても、胸ポケット１４から落下することは防止できる。この状態は図８に示されている。
【００１７】
図９には眼鏡を販売促進用の収納体２０の内部に収納した状態が示されている。
この販売促進用の収納体２０は、表面部材２１と裏面部材２２との両側および底側を一体として上方が開放した袋状に形成するとともに、裏面部材２２を上方に延長したものであり、この延長した部分に引掛け孔２３を穿設したものである。したがって、全体として胸ポケットのように形成されている。
【００１８】
この販売促進用の収納体２０の内部に、折り畳んだ状態で磁石体１３を吸着体１０から離脱させ、磁石体１３があるテンプル６を外側にして収納する。この収納時に磁石体１３はチェーン１２に連結した状態で収納体２０の外側になるようにする。こののち、磁石体１３を吸着体１０に吸着させれば、収納体２０の表面部材２１を挟持した状態となる。このような状態で展示フック等に裏面部材２２の引掛け孔２３を位置させることで展示可能となる。
【００１９】
そして、展示してある眼鏡を取り外す時には既述のとおり、まず磁石体１３を表面部材２１の裏側にある吸着体１０から外し、この状態で眼鏡を収納体２０から取り出す。こののち取り出した眼鏡の吸着体１０に磁石体１３を吸着させた状態で眼鏡を使用可能とするものである。
【００２０】
なお、前記実施の形態においては、吸着体および磁石体を星形としたが、これに限定することなくどのような形状であっても良く、要はテンプルに取り付けた吸着体にチェーンに取り付けられた磁石体が吸着されれば良いものである。また、テンプルに吸着体ではなく磁石体を配設し、この磁石体に吸着される吸着体をチェーン等の条体を介してテンプルに取り付けても良いものである。
【００２１】
【発明の効果】
この発明は前記のように、眼鏡の一方のテンプルに、磁石体あるいはこの磁石体に吸着する吸着体のうちの一方を配設するとともに、いずれか他方をチェーン等の条体を介して前記テンプルあるいは鎧に取り付けたので、磁石体と吸着体とが吸着した時にはそれらの間で布等を挟持した状態とすることができ、これによって、背広やワイシャツの胸ポケットに眼鏡を収納した時には眼鏡の落下を防止することができる。
また、他方のテンプルにも吸着体を設けることで両テンプルには同様の形状の装飾体を設けた様になり、意匠的にも良好であるとともに、全体を小型化できる。
さらに、背広やワイシャツの胸ポケットに収納した時にはチェーン等の条体で取り付けられた磁石体あるいは吸着体が表面に位置するようになるのでワンポイント的な装飾とすることができるという効果を有している。
【図面の簡単な説明】
【図１】この発明による眼鏡用クリップを取り付けるための眼鏡を示す概略平面図である。
【図２】図１に示すものの概略正面図である。
【図３】図１に示すものの概略右側面図である。
【図４】テンプルの鎧側を示し、チェーンで吊設された磁石体とテンプルに取り付けられた吸着体との関係を示す概略説明図である。
【図５】図４に示すものの磁石体と吸着体とが吸着した状態を示す概略説明図である。
【図６】テンプルのリム側を示し、チェーンで吊設された磁石体とテンプルに取り付けられた吸着体との関係を示す概略説明図である。
【図７】図６に示すものの磁石体と吸着体とが吸着した状態を示す概略説明図である。
【図８】眼鏡をワイシャツや背広の胸ポケットに収納して磁石体を吸着体に吸着させた状態を示す概略説明図である。
【図９】眼鏡を販売促進用の収納体の内部に収納した状態を示す概略説明図である。
【符号の説明】
１……眼鏡
２……リム
３……ブリッジ
４……鎧
５……蝶番
６……テンプル
７……ノーズパッド
８……モダン
９……レンズ
１０……吸着体
１１……取付け部
１２……条体（チェーン）
１３……磁石体
１４……胸ポケット
２０……収納体
２１……表面部材
２２……裏面部材
２３……引掛け孔
【図１】
2005024696.tif 000003
【図２】
2005024696.tif 000004
【図３】
2005024696.tif 000005
【図４】
2005024696.tif 000006
【図５】
2005024696.tif 000007
【図６】
2005024696.tif 000008
【図７】
2005024696.tif 000009
【図８】
2005024696.tif 000010
【図９】
2005024696.tif 000011